(57)【要約】      （修正有）【課題】外的衝撃から保護、又は外的衝撃を緩和し、カード型記録媒体の挿し抜きを容易に行うことができるカード型記録媒体収納具を提供する。【解決手段】外装が、蓋体２、蓋体２と対となる基板体３、及び、蓋体２と基板体３を繋ぐ背表紙体４から構成され、更に、内装が、当該外装体により中空洞枠構造で内封され、且つ、支持柱部５０、面支持部５１、挟爪部５２、及び留め部５３等から成る立体構造保持体でｍｉｃｒｏＳＤカード１００を保持する保持体５から構成される。【選択図】図１
0003155484.tif 000002
【実用新案登録請求の範囲】
【請求項１】
方形の第１基板体と、
前記第１基板体と対になる方形の第２基板体と、
前記第１基板体と前記第２基板体とを、相対する一辺の全面又は何れかの点において繋ぐ繋ぎ体と、
前記第１基板体又は第２基板体の少なくとも何れか１つに着設され、カード型記録媒体を保持する、単数又は複数の保持体と、
を具備し、
前記保持体は、
一端に、前記保持体が着設される前記第１又は第２基板体に、前記保持体が着設される前記第１又は第２基板体に対して角度を有して着設され前記カード型記録媒体を支持する面支持部と、
前記面支持部に支持される前記カード型記録媒体を挿し抜き可能に挟む挟爪部と、
を有し、
前記第１基板体と前記第２基板体とは、前記繋ぎ体を軸として前記保持体が、所定のクリアランスを隔てて内包する方向に開閉可能に組合せられ、更に、押圧によって嵌合状態となり、且つ、開放する力によって前記嵌合状態が解除されることを特徴とするカード型記録媒体収納具。
【請求項２】
方形の第１基板体と、
前記第１基板体と対になる方形の第２基板体と、
前記第１基板体と前記第２基板体とを、相対する一辺の全面又は何れかの点において繋ぐ繋ぎ体と、
前記第１基板体又は第２基板体の少なくとも何れか１つに着設され、カード型記録媒体を保持する、単数又は複数の保持体と、
を具備し、
前記保持体は、
前記保持体が着設される前記第１又は第２基板体に着設された支持柱部と、
前記保持体が着設される前記第１又は第２基板体に対して角度を有し、且つ、前記支持柱部に着設されて前記カード型記録媒体を支持する面支持部と、
前記面支持部に支持される前記カード型記録媒体を挿し抜き可能に挟む挟爪部と、
を有し、
前記第１基板体と前記第２基板体とは、前記繋ぎ体を軸として前記保持体が、所定のクリアランスを隔てて内包する方向に開閉可能に組合せられ、更に、押圧によって嵌合状態となり、且つ、開放する力によって前記嵌合状態が解除されることを特徴とするカード型記録媒体収納具。
【請求項３】
前記保持体は、
前記角度により前記カード型記録媒体が摺動する該摺動方向に位置し、且つ、前記保持体が着設される前記第１又は第２基板体に着設されて前記カード型記録媒体を留める留め部を有することを特徴とする請求項１又は請求項２に記載のカード型記録媒体収納具。
【考案の詳細な説明】
【技術分野】
【０００１】
本考案は、カード型記録媒体収納具に係り、例えば、ｍｉｎｉＳＤカードやｍｉｃｒｏＳＤカード等のＳＤメモリカード類を保持し、かつ、該保持するＳＤメモリカード類に加わる衝撃を緩和又は該衝撃から保護するカード型記録媒体収納具に関する。
【背景技術】
【０００２】
音楽、映画、ＴＶ番組、又はゲーム等の作品が、ＣＤ（Ｃｏｍｐａｃｔ  Ｄｉｓｃ）或いはＤＶＤ（Ｄｉｇｉｔａｌ  Ｖｅｒｓａｔｉｌｅ  Ｄｉｓｃ）等のディスク型記録媒体に保存され商品化されている。そして、下記（１）〜（４）等の理由・目的の元、該商品化されたディスク型記録媒体が収納されるプラスチック等の合成樹脂製ディスク型収納ケースは、従来公知である。
（１）ディスク型記録媒体を外的衝撃から保護するため。
（２）商品化されたディスク型記録媒体を店頭に陳列する際、効率よく陳列することができるようにするため。
（３）当該陳列された該商品をユーザが手に取る際に、手に取り易く、且つ閲覧し易くするため。
（４）記録されている情報に関するイメージ画やサマリ等の文字情報を、当該ケースの表紙に表示可能にするため。
【０００３】
一方で、上述したディスク型記録媒体よりも小型で軽量なｍｉｎｉＳＤカードやｍｉｃｒｏＳＤカード等といったＳＤカード類のカード型記録媒体がある。当該カード型記録媒体を収納するカード型記録媒体収納具としては、ストラップ型、ポーチ型、１又は複数個の当該カード型記録媒体を収納可能な箱型・・・といった、種々のＳＤカードケースが従来公知である。上述した形態のＳＤカードケースは、下記（ａ）、（ｂ）等を主な理由・目的として利用されており、一般的には、ＳＤカード類のカード型記録媒体のみが収納可能な様々なサイズ（規格）のケースがある。
（ａ）ユーザ自身が作成した情報（データ）、或いは、ユーザ自身がインターネットを介してダウンロードする等した情報を記録（保存）させたＳＤカード類のカード型記録媒体を、外的衝撃から保護するため。
（ｂ）ユーザ自身が作成した情報（データ）、或いは、ユーザ自身がインターネットを介してダウンロードする等した情報を記録（保存）させたＳＤカード類のカード型記録媒体を、安全に保存・所持、或いは持ち運ぶため。
こうした中で、近年になり、３２ＧＢまでの容量を持つＳＤＨＣ（ＳＤ  Ｈｉｇｈ  Ｃａｐａｃｉｔｙ）カードや２ＴＢまでの容量を持つＳＤＸＣ（ＳＤ  ｅＸｅｔｅｎｄｅｄ  Ｃａｐａｃｉｔｙ）カードが登場した。これにより、当該カード型記録媒体が、当該ディスク型記録媒体に代わって「商品としての情報」を保存する記録媒体としてもにわかに台頭しつつあり、当該商品化された情報を記録したＳＤカード類のカード型記録媒体が、店頭に並ぶようになってきた。つまり、商品化された情報を記録したＳＤカード類の為のケース（収納具）は、上述した（ａ）や（ｂ）等に加え、更に（２）〜（４）をもカバーする仕様である必要がある。
【考案の概要】
【考案が解決しようとする課題】
【０００４】
そこで本考案は、カード型記録媒体を保持して外的衝撃から保護又は外的衝撃を緩和し、カード型記録媒体の挿し抜き（出し入れ）を容易に行うことができるカード型記録媒体収納具を提供することを目的とする。
【課題を解決するための手段】
【０００５】
かかる課題を解決するために、請求項１に記載の本考案は、方形の第１基板体と、前記第１基板体と対になる方形の第２基板体と、前記第１基板体と前記第２基板体とを、相対する一辺の全面又は何れかの点において繋ぐ繋ぎ体と、前記第１基板体又は第２基板体の少なくとも何れか１つに着設され、カード型記録媒体を保持する、単数又は複数の保持体と、を具備し、前記保持体は、一端に、前記保持体が着設される前記第１又は第２基板体に、前記保持体が着設される前記第１又は第２基板体に対して角度を有して着設され前記カード型記録媒体を支持する面支持部と、前記面支持部に支持される前記カード型記録媒体を挿し抜き可能に挟む挟爪部と、を有し、前記第１基板体と前記第２基板体とは、前記繋ぎ体を軸として前記保持体が、所定のクリアランスを隔てて内包する方向に開閉可能に組合せられ、更に、押圧によって嵌合状態となり、且つ、開放する力によって前記嵌合状態が解除されることを特徴とするカード型記録媒体収納具を提供する。
【０００６】
また、かかる課題を解決するために、請求項２に記載の本考案は、方形の第１基板体と、前記第１基板体と対になる方形の第２基板体と、前記第１基板体と前記第２基板体とを、相対する一辺の全面又は何れかの点において繋ぐ繋ぎ体と、前記第１基板体又は第２基板体の少なくとも何れか１つに着設され、カード型記録媒体を保持する、単数又は複数の保持体と、を具備し、前記保持体は、前記保持体が着設される前記第１又は第２基板体に着設された支持柱部と、前記保持体が着設される前記第１又は第２基板体に対して角度を有し、且つ、前記支持柱部に着設されて前記カード型記録媒体を支持する面支持部と、前記面支持部に支持される前記カード型記録媒体を挿し抜き可能に挟む挟爪部と、を有し、前記第１基板体と前記第２基板体とは、前記繋ぎ体を軸として前記保持体が、所定のクリアランスを隔てて内包する方向に開閉可能に組合せられ、更に、押圧によって嵌合状態となり、且つ、開放する力によって前記嵌合状態が解除されることを特徴とするカード型記録媒体収納具を提供する。
【０００７】
そして、請求項１又は請求項２に記載の本考案は、前記保持体は、前記角度により前記カード型記録媒体が摺動する該摺動方向に位置し、且つ、前記保持体が着設される前記第１又は第２基板体に着設されて前記カード型記録媒体を留める留め部を有することを特徴とする請求項１又は請求項２に記載のカード型記録媒体収納具を提供する。
【考案の効果】
【０００８】
本考案は、上述した構成により、カード型記録媒体を保持して外的衝撃から保護又は外的衝撃を緩和し、カード型記録媒体の挿し抜き（出し入れ）を容易に行うことができるカード型記録媒体収納具を提供することが可能になる。
【図面の簡単な説明】
【０００９】
【図１】本考案の実施形態１に係る、開いた状態におけるＳＤカードケースの斜視図である。
【図２】本考案の実施形態１に係る、閉じた状態におけるＳＤカードケースの斜視図である。
【図３】本考案の実施形態１に係る基板体を、図１のＡ方向から眺めた図である。
【図４】本考案の実施形態１に係る基板体を、図１のＢ方向から眺めた図である。
【図５】図２のＣ−Ｃの要部断面図である。
【図６】図１の破線部Ｄの拡大図である。
【図７】図１の破線部Ｅの拡大図である。
【図８】図２の破線部Ｆの拡大図である。
【図９】本考案の実施形態２に係る、開いた状態におけるＳＤカードケースの斜視図である。
【図１０】本考案の実施形態１及び実施形態２の、変形例１に係るＳＤカードケースの分離斜視図である。
【図１１】本考案の実施形態１及び実施形態２の、変形例２に係るＳＤカードケースの分離斜視図である。
【考案を実施するための形態】
【００１０】
以下、本考案のカード型記録媒体収納具における好適な実施の形態について、図１から図１１を参照して詳細に説明する。
なお、本実施形態では、カード型記録媒体は、一例として、商品化される最新映画データが記録されたｍｉｃｒｏＳＤカードとしている。
【００１１】
（１）実施形態１
図１は、本考案の実施形態１に係る、開いた状態におけるＳＤカードケース１の斜視図である。図１（ａ）は空（から）状態を、図１（ｂ）はｍｉｃｒｏＳＤカード１００が収納（保持）されている状態を示している。また、図２は、本考案の実施形態１に係る、閉じた状態におけるＳＤカードケース１の斜視図である。
本実施形態１に係るＳＤカードケース１は、外装が、蓋体２、蓋体２と対となる基板体３、及び、蓋体２と基板体３とを繋ぐ背表紙体４から構成され、更に、内装が、当該外装体により中空洞枠構造で内封され、且つｍｉｃｒｏＳＤカード１００を保持（保護）する保持体５から構成されている。
上記各構成要素（蓋体２、基板体３、背表紙体４、及び保持体５）は、種々の形及び強度に成形可能であり、且つ、軽くて丈夫な性質をもつ合成樹脂成形体（即ち、プラスチック等）で構成されることが望ましい。特に、ｍｉｃｒｏＳＤカード１００を保持して外的衝撃から保護又は外的衝撃を緩和する役割を果たす保持体５については、比較的高い強度の合成樹脂成形体であることが望ましい。
【００１２】
図１（ａ）に示すように、蓋体２は、背表紙体４との非接触辺（或いは、面、部分）において蓋体縁部２０を有し、基板体３は、背表紙体４との非接触辺（或いは、面、部分）において基板体縁部３０を有する。そして、背表紙体４は、蓋体２及び基板体３との非接触辺（或いは、面、部分）において背表紙体縁部４０を有する。また、背表紙体４の非接触部分の長さは、蓋体縁部２０の短手方向の長さと基板体縁部３０の短手方向の長さの和に等しくなるよう構成されている。
保持体５は、図１（ａ）に示すように、支持柱部５０、面支持部５１、挟爪部５２、及び留め部５３等から構成される立体構造体であり、詳しくは後述する。
図３は、本考案の実施形態１に係る基板体３を図１（ｂ）のＡ方向（正面）から、また、図４は、図１（ｂ）のＢ方向（背面）から眺めた図である。本実施形態１では、図４に示すように、Ｇ方向から遊挿されるｍｉｃｒｏＳＤカード１００の面を支持する面支持部５１はＴ字型（図４では９０°左転されたＴ字型）に成形されているが、これに限られることはない。例えば、ｍｉｃｒｏＳＤカード１００の全面が面支持部５１に対面して（接して）支持される構成にしてもよい。（即ち、支持柱部５０の非着設側上端辺から基板体３にかけて形成される傾斜面が全て、面支持部５１を構成する。）
【００１３】
次に、本実施形態１の保持体５について、図５を参照して詳細に説明する。
図５は、図２のＣ−Ｃの要部断面図である。
本考案の実施形態１に係る保持体５の概略形は、図５に示すように、ｍｉｃｒｏＳＤカード１００の外形より略一回り大きく、且つ一端辺が基板体３と所定の角度θを形成して基板体３に着設する面支持部５１と、当該面支持部５１の基板体３に着設する辺以外の３辺から基板体３に垂直に着設して当該面支持部５１（即ち、ｍｉｃｒｏＳＤカード１００）を支持する支持柱部５０とからなる直角三角形の立体構造である。
ここで、本考案の実施形態１に係る支持柱部５０は、図１等に示すように面体の構造としたが、これに限られることはない。例えば、１又は複数本からなる柱によって面支持部５１と基板体３とを繋ぐ構成であってもよい。或いは、支持柱部５０は、面支持部５１が基板体３と着設する辺と対称となる辺（全辺又は一部）から基板体３に垂直に着設する構成であってもよい。
【００１４】
面支持部５１は、傾斜方向の両辺の略中央部に、挟爪部５２を有している。挟爪部５２と面支持部５１との間には、少なくともｍｉｃｒｏＳＤカード１００の厚さ（この厚さとは、一般的には、ｍｉｃｒｏＳＤカード１００をパソコンなどの機器に差し込む方向に垂直な方向の幅を指す）の空隙がある構成になっている。
本考案の実施形態１では、ｍｉｃｒｏＳＤカード１００は、当該直角三角形の斜面（面支持部５１上）に、ｕからｄに向かってスライド（摺動）させて嵌め込む。即ち、ｍｉｃｒｏＳＤカード１００は、面支持部５０及び挟爪部５２によって摺動可能に挟まれて保持される。
また、本考案の実施形態１に係る保持体５は、更に、面支持部５１の基板体３との着設地点（面又は辺）に留め部５３を備えており、挟爪部５２によって摺動可能に挟まれて保持されるｍｉｃｒｏＳＤカード１００は、この留め部５３によってｄ方向の動きが制御される。
【００１５】
また、本考案の実施形態１に係る保持体５は、前述した支持柱部５０と、ＳＤカードケース１を図５（ａ）の状態（基板体３を下にして閉めた状態）にした際に、当該支持柱部５０の上に位置する蓋体２との間に、０又は所定値以下（所定値の範囲内）のクリアランスｒを有している。このクリアランスｒは、前述した角度θとの関係で決められる。
ここで、好適な当該クリアランスはｒ＝０であり、その場合は、保持体５を構成する直角三角形は、ＳＤカードケース１を構成する蓋体２、基板体３、及び背表紙体４から成る中空洞枠構造体内に、３点を接地させて内封（内包）されている。従って、保持体５に遊挿されたｍｉｃｒｏＳＤカード１００のｕ方向の動きは、蓋体２によって制御（制限）される。
ここで、クリアランスｒの値は、必ずしも０である必要はなく、ｍｉｃｒｏＳＤカード１００がｕ方向に摺動した場合に、当該クリアランス（即ち、支持柱部５０と蓋体２とで形成された空隙）をすり抜けてｍｉｃｒｏＳＤカード１００が保持体５から落下してしまわないように設計されていればよい（即ち、クリアランスｒの値は、ｕ方向に摺動したｍｉｃｒｏＳＤカード１００が、保持体５上に留まり得る時の値を境界値とする当該境界値の範囲内に設計されていればよい）。
【００１６】
本実施形態１に係るＳＤカードケース１では、ｍｉｃｒｏＳＤカード１００は挟爪部５２と面支持部５１とで摺動可能に挟まれて保持されることにより、ｍｉｃｒｏＳＤカード１００の摺動方向以外の動きが抑制されている。一方、摺動が予測される方向（即ち、蓋体２方向（図５／ｕ）及び基板体３方向（図５／ｄ））の動きは、夫々蓋体２（クリアランスｒ）及び留め部５３によって抑制されている。
この構成により、ｍｉｃｒｏＳＤカード１００は、蓋体２、基板体３、及び保持体５によって固定され、その結果、蓋体２、基板体３、及び背表紙体４の各内壁からなる空間内におけるｍｉｃｒｏＳＤカード１００の遊動を抑制できる。つまり、ＳＤカードケース１が落下した場合等に当該空間内を動いたり滑ったりして生じる摩擦傷や破損などからｍｉｃｒｏＳＤカード１００を保護することができる。
また、本実施形態１に係るＳＤカードケース１では、ｍｉｃｒｏＳＤカード１００を保持する保持体５は、蓋体２、基板体３、及び背表紙体４によって内包されている。この構成により、ｍｉｃｒｏＳＤカード１００は、ＳＤカードケース１が外的に受ける衝撃（例えば、落下や衝突など）から保護される。
【００１７】
上述した本考案の実施形態１に係るＳＤカードケース１の保持体５は、以下に説明するように、他にも種々のバリエーションが考えられる。なお、上述した実施形態１と同等の構成に関しては同じ符号を付し、係る説明を省略する。
（ｉ）保持体５の変形例Ａ
変形例Ａの保持体５Ａは、図５（ｂ１）又は（ｂ２）に示すように、基板体３と角度を有するように着設され、且つ、少なくとも２又は複数の挟爪部５２Ａを有する面支持部５１Ａで構成される。
この変形例Ａの構成では、保持体５Ａは、ｍｉｃｒｏＳＤカード１００を、面支持部５１Ａの蓋体２側の面で保持する（図５（ｂ１））ことも、又は、面支持部５１Ａの基板体３側の面で保持する（図５（ｂ２））ことも可能となる。
また、図示しないが、面支持部５１Ａを介して当該面支持部５１Ａの両面側に各々挟爪部５２Ａを設ける構成にすることで、１つの面支持部５１Ａで２つのｍｉｃｒｏＳＤカード１００を保持することも可能となる。
また、この変形例Ａの保持体５Ａの構成では、留め部５３が不要なので、生産コストや生産工程を低減することができる。
（ｉｉ）保持体５の変形例Ｂ
変形例Ｂの保持体５Ｂは、図５（ｃ１）に示すように、基板体３と着設する支持柱部５０Ｂと、少なくとも２又は複数の挟爪部５２Ｂを有し、基板体３と非接触状態であり、且つ、基盤体３側の一端から伸ばした延長線が基盤体３と角度を有するような状態で支持柱部５０Ｂに着設される面支持部５１Ｂとから構成される。
この変形例Ｂでは、支持柱部５０Ｂは、基板体３と垂直に着設している必要はなく、例えば、図５（ｃ２）に示すように、基板体３に対して角度を有する状態で着設する構成にしてもよい。
また、挟爪部５２Ｂは、必ずしも面支持部５１Ｂに備えられている（即ち、面支持部５１Ｂが具備している）必要はなく、例えば、図５（２ｃ）に示すように、挟爪部５２Ｂに代わって、挟爪部５２Ｂ’を有し、且つ、面支持部５１Ｂから独立して構成される挟爪体６を備えた構成とすることも可能である。その場合、挟爪体６は、面支持部５１Ｂの基板体３側端近傍の基板体３上で、一方が基板体３に着設し、且つ、他方（即ち、非着設方向端）に挟爪部５２Ｂ’を備える構成になっていることが望ましい。この挟爪部５２Ｂ’は、少なくとも面支持部５１Ｂの基板体３側端に到達し、面支持部５１Ｂ側に折れ曲げ可能な高さを有する。そして、当該折曲がった際に面支持部５１Ｂと対向する側の面は、ｍｉｃｒｏＳＤカード１００を保持し易くするためにも、当該面支持部５１Ｂと略平行状態を保つように構成されていることが望ましい。
この変形例Ｂの保持体５Ｂの構成では、留め部５３が不要となるので、生産コストや生産工程を低減することができる。
（ｉｉｉ）保持体５の変形例Ｃ
変形例Ｃは、上述した変形例Ｂの構成において、更に留め体５３Ｃを有している。
この変形例Ｃの保持体５Ｃの構成は、図５（ｄ）に示すような、支持柱部５０Ｃと面支持部５１Ｃとで形成される鋭角の角度θ’が非常に大きい場合において有効な構成である。つまり、ｍｉｃｒｏＳＤカード１００が摺動方向ｄ（図５（ａ））に摺動（スライド）して保持体５Ｃから落下してしまうのを、留め体５３Ｃにより抑制することができる。
また、同様に、変形例Ａにおいても、基板体３と面支持部５１Ａとで形成される鋭角の角度θが非常に小さい場合は、留め体５３Ｃは有効な構成となる。
【００１８】
次に、本考案に係る実施形態１のＳＤカードケース１における、開閉に関する構成及び動作について、図６、図７、及び図８を参照して詳細に説明する。
図６は、図１の破線部Ｄの拡大図である。図６に示すように、本実施形態１に係るＳＤカードケース１は、蓋体縁部２０に窪み部２２及び嵌挿突起部２３を有している。
図７は、図１の破線部Ｅの拡大図である。図７に示すように、本実施形態１に係るＳＤカードケース１は、基板体縁部３０に爪部３２及び嵌挿突起挟み部３３を有している。
本考案に係る実施形態１のＳＤカードケース１では、ＳＤカードケース１を閉めた状態（即ち、蓋体２、基板体３及び背表紙体４から成る中空洞枠構造を形成した状態／図２）において、破線部Ｄと破線部Ｅとは一致する位置に形成されている。より詳しくは、ＳＤカードケース１を閉めた状態にするために、破線部ＤにＡ方向（図１）、及び破線部ＥにＢ方向（図１）に、略同時に各々に加えられる押圧力によって、窪み部２２は爪部３２と互いに嵌合し、嵌挿突起部２３は嵌挿突起挟み部３３と爪部３２とに挟合される。
一方、この嵌合（挟合）状態は、ＳＤカードケース１に開放する力を加える（即ち、図１における破線部ＤにＢ方向及び破線部ＥにＡ方向の力を、略同じに加える）ことによって解除することができる（即ち、ＳＤカードケース１を開いた状態／図１にすることができる）構成となっている。
【００１９】
また、図８は、図２の破線部Ｆの拡大図である。
本考案に係る実施形態１のＳＤカードケース１は、上述した、「破線部ＤにＢ方向、破線部ＥにＡ方向の力を略同じに加える」を容易に行うために、図８に示すように、蓋体縁部指掛部２１及び基板体縁部指掛部３１を備えている。
蓋体縁部指掛部２１は、蓋体２の縁部に形成される蓋体縁部２０上に、１又は複数箇所を略長方形状に陥没させて形成される。
基板体縁部指掛部３１は、基板体３の縁部に形成される基板体縁部３０上に、閉めた状態（図２）の時に上述した蓋体縁部指掛部２１と対面する位置に、１又は複数箇所を略長方形状に陥没させて形成される。
この構成により、蓋体縁部指掛部２１にＢ方向（図１）、一方、基板体縁部指掛部３１にＡ方向（図１）に、例えば両親指等によって略同時に力を加えることで、上述した開放する力が破線部Ｄ及び破線部Ｅに均等にかかり、容易に、閉めた状態から開いた状態にすることができる。
【００２０】
ここで、本考案に係る実施形態１のＳＤカードケース１では、蓋体縁部指掛部２１及び基板体縁部指掛部３１は、上述したような形状で形成されるとしたが、これに限られるものではない。例えば、蓋体縁部指掛部２１及び基板体縁部指掛部３１における陥没させる長手方向（即ち、ＳＤカードケース１の長手方向）の長さは、蓋体縁部２０及び基板体縁部３０上のＳＤカードケース１の長手方向の、全面に渡って形成されていても良いし、一部（数ミリ〜数センチ程度）に形成されていても良く、当該両形状のどちらにしても同じ効果が期待できる。
また、蓋体縁部指掛部２１及び基板体縁部指掛部３１の両方が構成されている必要はなく、いずれか一方が形成されている構成でもよい。
更には、短手方向であって、対向する各縁部（蓋体縁部２０及び基板体縁部３０）上に形成される構成にしても良い。
【００２１】
（２）実施形態２
図９は、本考案の実施形態２に係る、開いた状態におけるＳＤカードケース１の斜視図である。
本実施形態２では、上述した実施形態１の構成において、更に、帯体２４及び挟み部２５を有している。
帯体２４は、ＳＤカードケース１を閉めた状態（図２）において、蓋体２、基板体３、及び背表紙体４によって形成されるコの字型面に、長手方向の両辺のみ、又は、短手方向の両辺のみを固着させて巻き付けた透明の帯であり、この帯と上述したコの字型面との空隙には、固着されていない辺方向から、紙などの薄い媒体を挿入することが可能である。
本考案の実施形態２に係るＳＤカードケース１は、この帯体２４により、店頭に並ぶ商品（映画）を選ぶ消費者（コンシューマー）は、当該商品を開封しなくても記録されている最新映画情報に関するイメージ画やサマリ等の文字情報を閲覧することができる。一般的に、消費者は自分自身の趣味嗜好に合った映画を購入をしたいと考えているので、当該帯体２４によって得られる情報は、当該消費者が選択（判断）をする際の手助けとなり得る。
挟み部２５は、蓋体２が有する４辺の何れかの位置上で、且つ、当該辺側のみを着設して大人の親指ほどの面積の面をくり貫き、当該くり貫いた面とくり貫かれた投影面との間で、一部、押圧が加わる形状に成形されている。本考案の実施形態２に係るこの挟み部２５により、例えば、ｍｉｃｒｏＳＤカード１００に記録された当該映画データに関する解説書（説明書）や、ｍｉｃｒｏＳＤカード１００の仕様書といった冊子（リーフレット、パンフレット等）や、購入者対象アンケート等を挟むことができる。従って、商品（映画）を購入した消費者は、当該映画に関するより詳細な情報を入手することができ、一方、配給会社（販売会社）は、本考案の実施形態２に係るＳＤカードケース１を、次回作品や他映画の告知ツールとしてや販売促進ツールとしても活用することができる。
【００２２】
以上、本考案のＳＤカードケース１における２実施形態について説明したが、本考案は説明した実施形態１及び実施形態２に限定されるものではなく、各請求項に記載した範囲において各種の変形を行うことが可能である。
以下、実施形態１及び実施形態２の何れの実施形態においても適用可能な変形例１及び変形例２について、図１０及び図１１を参照して詳細に説明する。
【００２３】
上記説明した実施形態１及び実施形態２では、蓋体２、基板体３、及び背表紙体４とを一体型としたが、以下の変形例１及び変形例２のように、各々を別構成にしてもよい。
（３）ＳＤカードケース１の変形例１
図１０は、本考案の実施形態１及び実施形態２の、変形例１に係るＳＤカードケース１Ａの分離斜視図である。ＳＤカードケース１Ａは、図１０（ａ）に示すように、保持体５を備える基板体３と対筒体基板体縁部３０Ａとから成る対筒体基板体３Ａと、図１０（ｂ）に示すように、当該対筒体基板体３Ａに摺動して嵌合する筒体２Ａとから構成される。この場合、帯体２４は筒体２Ａのみに、長手方向の両辺又は短手方向の両辺を固着されて巻き付けられた構成となる。
（４）ＳＤカードケース１の変形例２
図１１は、本考案の実施形態１及び実施形態２の、の変形例２に係るＳＤカードケース１Ｂの分離斜視図である。
ＳＤカードケース１Ｂは、図１１に示すように、保持体５を備える基板体３と対被せ体基板体縁部３０Ｂとから成る対被せ体基板体３Ｂと、当該被せ体基板体３Ｂと嵌合する被せ体２Ｂとから構成される。この場合、帯体２４は被せ体２Ｂのみに、長手方向の両辺又は短手方向の両辺を固着されて巻き付けられた構成となる。
【００２４】
本考案の各実施形態に係るＳＤカードケース１（ＳＤカードケース１Ａ及び１Ｂも同様）では、保持体５（保持体５Ｂ及び５Ｃも同様）が保持するカード型記録媒体はｍｉｃｒｏＳＤカード１００としたが、これに限定されるものではなく、例えば、ＳＤＨＣカードやＳＤＸＣカード等が保持対象（保持品）になり得る。その場合は、保持体５（保持体５Ｂ及び５Ｃも同様）を、適用させる各々のカード型記録媒体の規格に合わせた構成にすればよい。つまり、支持柱部５０の高さ（即ち、クリアランスｒの長さ）や、面支持部の傾斜角度θ等を、所望の仕様に合わせて変更すればよい。
【００２５】
また、本考案の各実施形態に係るＳＤカードケース１（ＳＤカードケース１Ａ及び１Ｂも同様）では、蓋体２（筒体２Ａ及び被せ体２Ｂも同様）及び基板体３（体筒体基板体３Ａ及び対被せ体基板体３Ｂも同様）は長方形の成形体としたが、これに限定されるものではなく、例えば、正方形等に構成することも可能である。
また、本考案の各実施形態に係るＳＤカードケース１（ＳＤカードケース１Ａ及び１Ｂも同様）では、内封される保持体５（保持体５Ｂ及び５Ｃも同様）は１つとしたがこれに限られることはない。例えば、本編映像と特典映像とで記録するＳＤカードを２つに分ける場合には、各々のＳＤカードに対する２つの保持体５（保持体５Ｂ及び５Ｃも同様）が着設される構成にすることも可能である。
【００２６】
また、本考案の各実施形態に係るＳＤカードケース１では、保持体５（保持体５Ｂ及び５Ｃも同様）は基板体３に着設されている。しかしながら、蓋体２・基板体３とは、本実施形態を説明するにあたり便宜上読み分けているにすぎず、従って、保持体５（保持体５Ｂ及び５Ｃも同様）が蓋体２に着設される構成とすることは何ら問題なく可能である。
【００２７】
また、本考案の各実施形態に係るＳＤカードケース１では、背表紙体４は、ＳＤカードケース１を閉じた場合（図２）、内装物を保護するという観点から密封状態になることが望ましいため一枚の板状の構造としているが、これに限られることはなく、蓋体２と基板体３とを繋いでいる構造において種々のバリエーションが考えられ、例えば、梯子状や格子状の構成とすることも可能である。
【符号の説明】
【００２８】
１  ＳＤカードケース
１Ａ  ＳＤカードケース
１Ｂ  ＳＤカードケース
２  蓋体
２Ａ  筒体
２Ｂ  被せ体
３  基板体
３Ａ  対筒体基板体
３Ｂ  対被せ体基板体
４  背表紙体
５  保持体
５Ｂ  保持体
５Ｃ  保持体
６  挟爪体
２０  蓋体縁部
２１  蓋体縁部指掛部
２２  窪み部
２３  嵌挿突起部
２４  帯体
２５  挟み部
３０  基板体縁部
３０Ａ  対筒体基板体縁部
３０Ｂ  対被せ体基板体縁部
３１  基板体縁部指掛部
３２  爪部
３３  嵌挿突起挟み部
４０  背表紙体縁部
５０  支持柱部
５０Ｂ  支持柱部
５０Ｃ  支持柱部
５１  面支持部
５１Ａ  面支持部
５１Ｂ  面支持部
５１Ｃ  面支持部
５２  挟爪部
５２Ａ  挟爪部
５２Ｂ  挟爪部
５２Ｂ’挟爪部
５３  留め部
５３Ｃ  留め体
１００  ｍｉｃｒｏＳＤカード
ｕ  摺動方向
ｄ  摺動方向
ｒ  クリアランス
【図１】
0003155484.tif 000003
【図２】
0003155484.tif 000004
【図３】
0003155484.tif 000005
【図４】
0003155484.tif 000006
【図５】
0003155484.tif 000007
【図６】
0003155484.tif 000008
【図７】
0003155484.tif 000009
【図８】
0003155484.tif 000010
【図９】
0003155484.tif 000011
【図１０】
0003155484.tif 000012
【図１１】
0003155484.tif 000013